(57)【要約】【課題】  取り付けが容易であり、取り付け後長期間使用しても緩みが発生せず、引っ張られると外れ易いが、荷重がかかった時には強固な取り付け状態を実現する。【解決手段】  可撓性を有するほぼ円筒形の環状部２１１Ａと、環状部２１１Ａの母線に沿って剛性を持って接続され、被取付部材を挟持する一対の取付部２１２Ａとを備えるクランプ構造、そのクランプ構造を有するダンパー支持部材、そのダンパー支持部材を含むダンパーユニット、そのダンパーユニットを備えるベッドを提供する。【選択図】  図３
2014050567.tif 000002
【特許請求の範囲】
【請求項１】
可撓性を有する略円筒形の環状部と、
前記環状部の母線に沿って剛性を持って接続され、被取付部材を挟持する一対の取付部と、
を備え、
前記環状部の外側から力が与えられる第一母線と略円筒形の前記環状部の中心軸線とを含む平面と、一の取付部の前記環状部と接続される第二母線と略円筒形の前記環状部の中心軸線とを含む平面とがなす角度は、９０度を超えかつ１８０度未満であり、
前記環状部の外側から力が与えられる第一母線と略円筒形の前記環状部の中心軸線とを含む平面と、他の取付部の前記環状部と接続される第三母線と略円筒形の前記環状部の中心軸線とを含む平面とがなす角度は、９０度を超えかつ１８０度未満である、
クランプ構造。
【請求項２】
前記第二母線と前記第三母線との間に存在する環状部は、曲率を有さない平面である設置面を有することを特徴とする請求項１に記載のクランプ構造。
【請求項３】
請求項１または２に記載のクランプ構造を有するダンパー支持部材であって、
前記第一母線に接続される、マットレスを支持する支持部をさらに備え、
前記一対の取付部がマットレスを載置する基台の部分を挟持することにより基台に取り付けられ、マットレスを複数で支持するダンパー支持部材。
【請求項４】
前記環状部の端部に、ダンパーが脱落することを防止するダンパー止め片をさらに備えることを特徴とする請求項３に記載のダンパー支持部材。
【請求項５】
前記第二母線と前記第三母線との間に存在する環状部に、前記環状部の一の端部から他の端部へ横断する溝部を備えることを特徴とする請求項３または４に記載のダンパー支持部材。
【請求項６】
請求項３乃至５のいずれかに記載のダンパー支持部材と、
前記ダンパー支持部材の環状部が内部に保持し、略円筒形の弾性を有する樹脂発泡体からなるダンパーと、
をさらに備え、
前記環状部は、前記ダンパーの略円筒形の側面に当接して保持し、
前記環状部の外側から力を与えられた時の前記環状部の弾性率は、前記ダンパーの弾性率に比し、小さいことを特徴とするダンパーユニット。
【請求項７】
請求項６に記載のダンパーユニットが複数取り付けられたベッド。
【発明の詳細な説明】
【技術分野】
【０００１】
本発明は、被取付部材に取り付けるためのクランプ構造、そのクランプ構造を有するダンパー支持部材、そのダンパー支持部材を含むダンパーユニット、および、そのダンパーユニットを備えるベッドに関する。
【背景技術】
【０００２】
従来、人が直接寝たり座ったりするベッドやソファのマットレスを支持するすのこには、単なる床板のみからなるすのこに加え、より優れた体圧分散を実現し、それぞれの人の身体にフィットした寝心地や座り心地を得るために、すのこ自体にクッション性を持たすことが広く知られている。
【０００３】
すのこ自体にクッション性を持たすために、樹脂発泡体から形成されたばね要素を配置することが実用化されており、そのばね要素をベッドの基台に取り付けるために、工夫がなされている。
【０００４】
例えば、特許文献１では、ばね要素であるダンパーを保持するとともに、ベッドの基台の取り付けバーにボルトで取り付けるためのダンパー支持部材が開示されている。また、これ以外にも、取り付けバーを挟むようにして取り付けるためのスナップにより取り付けたり、また、断面をＣ字形状にして取り付けバーを挟み込みクランプ構造なども一般的に知られている。
【先行技術文献】
【特許文献】
【０００５】
【特許文献１】米国特許５４２６７９９号公報
【発明の概要】
【発明が解決しようとする課題】
【０００６】
上述した、図６に示すような従来技術のダンパー支持部材では、以下のような問題があった。例えば、（Ａ）に示すようなボルトによる取り付けでは、ベッドの使用により長期間の振動を受けると緩みが発生してガタついてしまう。また、（Ｂ）に示すようなスナップによる取り付けでは、取り付け部分の擦れによる削れや緩みが発生して、同様にガタついてしまう。さらに、断面をＣ字形状にして取り付けバーを挟み込むクランプ構造では、取り付けるためにＣ字の隙間部分をバーの巾まで拡げるのに大きな力が必要となる。
【０００７】
また、マットレスを支持するスラットプレートがダンパー支持部材の上部に設けられている場合、上記のように取り付けバーに取り付けられたダンパー支持部材に接続されるスラットプレートが引っ張られると、強固に取り付けバーに取り付けられているため、スラットプレートとダンパー支持部材との接続部分が破損してしまう恐れがある。
【０００８】
そこで、本発明は、上記問題に鑑みてなされたものであり、本発明の目的とするところは、被取付部材に取り付ける際にも取り付けが容易であり、取り付け後長期間使用しても緩みが発生せず、上部に接続されたスラットプレート（荷重を支持する部材）を引っ張られると被取付部材から外れ易いが、スラットプレート（荷重を支持する部材）に荷重がかかった時には被取付部材に対して強固な取り付け状態を実現するクランプ構造およびダンパー支持部材を提供することにある。さらに、かかるダンパー支持部材を含むダンパーユニット、および、そのダンパーユニットを備えるベッドを提供する。
【課題を解決するための手段】
【０００９】
上記課題を解決するために、可撓性を有する略円筒形の環状部と、その環状部の母線に沿って剛性を持って接続され、被取付部材を挟持する一対の取付部と、を備え、環状部の外側から力が与えられる第一母線とほぼ円筒形の環状部の中心軸線とを含む平面と、一の取付部の環状部と接続される第二母線とほぼ円筒形の環状部の中心軸線とを含む平面とがなす角度は、９０度を超えかつ１８０度未満であり、環状部の外側から力が与えられる第一母線とほぼ円筒形の環状部の中心軸線とを含む平面と、他の取付部の環状部と接続される第三母線とほぼ円筒形の環状部の中心軸線とを含む平面とがなす角度は、９０度を超えかつ１８０度未満である、クランプ構造が提供される。
これによれば、取付部が接続された環状部は可撓性を有するので被取付部材に取り付ける際にも取り付けが容易であり、ボルトやスナップを使用していないので取り付け後長期間使用しても緩みが発生しない。また、取付部が環状部に剛性を持って接続されているので上部を上方へ引っ張られると被取付部材から外れ易いが、上部に上方から荷重がかかった時には被取付部材に対して強固な取り付け状態を実現するクランプ構造を提供することができる。
【００１０】
さらに、第二母線と第三母線との間に存在する環状部は、曲率を有さない平面である設置面を有することを特徴としてもよい。
これによれば、被取付部材に確実に取り付けられるクランプ構造を提供できる。
【００１１】
別の観点によれば、上記課題を解決するために、上記のクランプ構造を有するダンパー支持部材であって、第一母線に接続される、マットレスを支持する支持部をさらに備え、一対の取付部がマットレスを載置する基台の部分を挟持することにより基台に取り付けられ、マットレスを複数で支持するダンパー支持部材が提供される。
これによれば、取付部が接続された環状部は可撓性を有するので被取付部材に取り付ける際にも取り付けが容易であり、ボルトやスナップを使用していないので取り付け後長期間使用しても緩みが発生しない。また、取付部が環状部に剛性を持って接続されているので上部に接続された支持部を引っ張られると被取付部材から外れ易いが、支持部に荷重がかかった時には被取付部材に対して強固な取り付け状態を実現するダンパー支持部材を提供することができる。
【００１２】
さらに、環状部の端部に、ダンパーが脱落することを防止するダンパー止め片をさらに備えることを特徴としてもよい。
これによれば、環状部が保持するダンパーの脱落を防止することができる。
【００１３】
さらに、第二母線と第三母線との間に存在する環状部に、環状部の一の端部から他の端部へ横断する溝部を備えることを特徴としてもよい。
これによれば、溝部を備えることにより、環状部の当該部分がより大きな可撓性を有することとなるので、被取付部材に取り付ける際にも取り付けがより容易となり、支持部を引っ張られると被取付部材からより外れ易くなる。
【００１４】
別の観点によれば、上記課題を解決するために、上記のダンパー支持部材と、そのダンパー支持部材の環状部が内部に保持し、ほぼ円筒形の弾性を有する樹脂発泡体からなるダンパーと、をさらに備え、環状部は、ダンパーのほぼ円筒形の側面に当接して保持し、環状部の外側から力を与えられた時の環状部の弾性率は、ダンパーの弾性率に比し、小さいことを特徴とするダンパーユニットが提供される。
これによれば、取付部が接続された環状部は可撓性を有するので被取付部材に取り付ける際にも取り付けが容易であり、ボルトやスナップを使用していないので取り付け後長期間使用しても緩みが発生しない。また、取付部が環状部に剛性を持って接続されているので上部に接続された支持部を引っ張られると被取付部材から外れ易いが、支持部に荷重がかかった時には被取付部材に対して強固な取り付け状態を実現するダンパーユニットを提供することができる。また、環状部が保持するダンパーの脱落を防止し、ダンパーの弾性率によりその弾性を調整できるダンパーユニットを提供できる。
【００１５】
別の観点によれば、上記課題を解決するために、上記のダンパーユニットが複数取り付けられたベッドが提供される。
これによれば、取付部が接続された環状部は可撓性を有するので被取付部材に取り付ける際にも取り付けが容易であり、ボルトやスナップを使用していないので取り付け後長期間使用しても緩みが発生しない。また、取付部が環状部に剛性を持って接続されているので上部に接続された支持部を引っ張られると被取付部材から外れ易いが、支持部に荷重がかかった時には被取付部材に対して強固な取り付け状態を実現するダンパーユニットを備えたベッドを提供することができる。また、環状部が保持するダンパーの脱落を防止し、ダンパーの弾性率によりその弾性を調整できるダンパーユニットを備えたベッドを提供できる。
【発明の効果】
【００１６】
以上説明したように、本発明によれば、取付部が接続された環状部は可撓性を有するので被取付部材に取り付ける際にも取り付けが容易であり、ボルトやスナップを使用していないので取り付け後長期間使用しても緩みが発生せず、取付部が環状部に剛性を持って接続されているので上部を上方へ引っ張られると被取付部材から外れ易いが、上部に上方から荷重がかかった時には被取付部材に対して強固な取り付け状態を実現するクランプ構造、ダンパー支持部材、ダンパーユニット、およびベッドを提供することができる。
【図面の簡単な説明】
【００１７】
【図１】本発明に係る第一実施例のクランプ構造の正面図（Ａ）、左下方向からの斜視図（Ｂ）、右上方向からの斜視図（Ｃ）。
【図２】本発明に係る第一実施例のクランプ構造における作用を説明する説明図。（Ａ）クランプ構造が被取付部材に取り付けられた場合を示す。（Ｂ）第一母線に上方から下方へ力が与えられた場合における各部に働く力を示す。（Ｃ）第一母線に下方から上方へ力が与えられた場合における各部に働く力を示す。
【図３】本発明に係る第二実施例のダンパー支持部材の正六面図。（Ａ）正面図、（Ｂ）平面図、（Ｃ）底面図、（Ｄ）背面図、（Ｅ）左側面図、（Ｆ）右側面図、（Ｇ）斜視図。
【図４】本発明に係る第二実施例のダンパーユニットの斜視図。
【図５】本発明に係る第に実施例のダンパーユニットが取り付けられたベッドの斜視図。
【図６】従来技術のダンパー支持部材の説明図。（Ａ）ボルトにより取り付けられるダンパー支持部材、（Ｂ）スナップにより取り付けられるダンパー支持部材。
【発明を実施するための形態】
【００１８】
以下では、図面を参照しながら、本発明に係る実施例について説明する。
＜第一実施例＞
図１は、本発明に係る第一実施例におけるクランプ構造２１の正面図等を示す。なお、図１は、説明の都合上、仮想的な平面のＰ１、Ｐ２、Ｐ３、仮想的な母線のＧ１、Ｇ２、Ｇ３を表している。
【００１９】
クランプ構造２１は、ほぼ円筒形である環状部２１１と、その環状部２１１と剛性を持って接続され、被取付部材を挟持する一対の取付部２１２とを備える。環状部２１１は、本実施例では、円筒形の外形は正面視でほぼ円形であるが、これに限定されず、ほぼ楕円などの外側に凸の曲率を有する外形であればよい。円筒形の内側の形状は、本実施例では、外形の相似形であるほぼ円形であるが、これに限定されず、好ましくは、環状部２１１の内部に保持するダンパー（後述）の外形と同一である。より好ましくは、ダンパーの外形と円筒形の内側の形状とが同一で、円筒形の外側の外形は、内側の形状と相似形である。なお、環状部２１１の側面の長さ（円筒形の高さに相当）は、適宜定められ、ダンパーの幅とほぼ同一が好ましい。
【００２０】
また、環状部２１１は、可撓性を有する。従って、環状部２１１は、例えば、可撓性を有するプラスティクや金属などからなることが好ましい。可撓性は、例えば、人の手で押したり引っ張ったりした場合に、容易に撓むことができる程度のものである。
【００２１】
一対の取付部２１２は、被取付部材を挟持できるように、剛性を持って環状部２１１に接続される。取付部２１２は、剛性を持って環状部２１１に取り付けられることにより、環状部２１１の変形（撓み）に従い、一方の取付部２１２と他方の取付部２１２が、これらの間の被取付部材を挟んだり放したりするように動く。一対の取付部２１２は、これ自体、被取付部材を確実に挟持できるように剛性を有することが好ましい。
【００２２】
それぞれの取付部２１２は、環状部２１１の母線に沿って、即ち、環状部２１１である円筒形の側面の母線に沿って、環状部２１１に接続される。これにより、通常均一な幅を有する被取付部材を確実に挟持することができる。取付部２１２は、本実施例では、環状部２１１に撓みがない状態において、正面視で互いにほぼ平行をなすが、これに限定されず、取付部２１２の互いの距離が、正面視で下方ほど広くなったり、狭くなったりしてもよい。なお、取付部２１２の正面視下端には、互いに対向する取付部２１２側に屈曲した屈曲部を有することが好ましい。これにより、取付部２１２は、被取付部材から脱落しにくくなる。
【００２３】
環状部２１１が被取付部材に取り付けられた場合、通常、本図（Ａ）に示す、正面視上方から矢印のような力が加えられる。即ち、環状部２１１の外側から力が与えられる場合、環状部２１１とそれぞれの取付部２１２との接続部から等距離にある母線であって、一対の取付部２１２とは、環状部２１１の円筒形の中心軸線Ｃを挟んで反対側にある母線（第一母線Ｇ１）に、力が加えられる。ここで、一方の取付部２１２と環状部２１１とが接続される母線を第二母線Ｇ２、他方の取付部２１２と環状部２１１とが接続される母線を第三母線Ｇ３とする。
【００２４】
第一母線Ｇ１と中心軸線Ｃと含む平面Ｐ１と、第二母線Ｇ２と中心軸線Ｃと含む平面Ｐ２とがなす角度Ａ１とし、また、第一母線Ｇ１と中心軸線Ｃと含む平面Ｐ１と、第三母線Ｇ３と中心軸線Ｃと含む平面Ｐ３とがなす角度Ａ２とすると、
９０度＜Ａ１＜１８０度  かつ  ９０度＜Ａ２＜１８０度
が成立する。
【００２５】
即ち、環状部２１１の外側から力が与えられる第一母線Ｇ１とほぼ円筒形の環状部２１１の中心軸線Ｃとを含む平面Ｐ１と、一の取付部２１２の環状部２１１と接続される第二母線Ｇ２とほぼ円筒形の環状部２１１の中心軸線Ｃとを含む平面Ｐ２とがなす角度Ａ１は、９０度を超えかつ１８０度未満であり、かつ、環状部２１１の外側から力が与えられる第一母線Ｇ１とほぼ円筒形の環状部２１１の中心軸線Ｃとを含む平面Ｐ１と、他の取付部２１２の環状部２１１と接続される第三母線Ｇ３とほぼ円筒形の環状部２１１の中心軸線Ｃとを含む平面Ｐ３とがなす角度Ａ２は、９０度を超えかつ１８０度未満である。
【００２６】
図２を参照し、本実施例におけるクランプ構造２１における作用を説明する。本図（Ａ）は、クランプ構造２１がベッドの基台の取り付けバーなどの被取付部材Ｂ１に取り付けられた場合を示す。クランプ構造２１は、被取付部材Ｂ１に取り付ける際、一対の取付部２１２の下端にある隙間を拡げるようにして取り付けられる。一対の取付部２１２の間の環状部２１１は可撓性を有するので、容易に隙間を拡げて取り付けることができる。
【００２７】
クランプ構造２１の取付部２１２は、被取付部材Ｂ１の側面を両側から挟持する。取付部２１２の正面視下端にある屈曲部は、被取付部材Ｂ１の下面に係合し、クランプ構造２１の被取付部材Ｂ１からの脱落を起こりにくくしている。環状部２１１の一対の取付部２１２にはさまれた部分は、本実施例では、他の部分と同様の曲率を有しているので、当該部分の最下端となる母線部分が、被取付部材Ｂ１の上面に当接している。このように、クランプ構造２１は、被取付部材Ｂ１の両側面、下面、および上面のすべてに当接するので、確実に被取付部材Ｂ１に取り付けることができ、ボルトやスナップを使用していないので取り付け後長期間使用しても緩みが発生しない。
【００２８】
なお、本実施例では、被取付部材Ｂ１は正面視矩形なのでその側面に適合するように取付部２１２は互いに平行をなすが、被取付部材Ｂ１が側面視台形である場合、取付部は台形の斜面に適合するため互いに平行でなくともよい。
【００２９】
本図（Ｂ）は、第一母線Ｇ１に上方から下方へ力が加えられた場合における各部に働く力を示す。クランプ構造２１に対して図示するような力が加えられる場合とは、例えば、クランプ構造２１がベッドの基台の取り付けバーなどに取り付けられ、その上にマットレスが載置されて人などが横たわることにより、クランプ構造２１へ荷重がかけられた状態である。
【００３０】
かかる荷重がかけられた場合、環状部２１１は、可撓性を有するので、横に扁平になるように撓み、外形は横に扁平な楕円に近い形に変形する。そうすると、環状部２１１と取付部２１２とが剛性を持って接続された剛性接続部２５Ｌと２５Ｒにはモーメントが働く。即ち、環状部２１１の変形に伴い、剛性接続部２５Ｌには反時計回りの、剛性接続部２５Ｒには時計回りのモーメントが働く。このモーメントは、一対の取付部２１２が被取付部材Ｂ１の側面を両側からより強く挟む力として機能する。即ち、クランプ構造２１の上部に上方から下方へ荷重がかかった時には被取付部材Ｂ１に対して強固な取り付け状態を実現できる。
【００３１】
本図（Ｃ）第一母線Ｇ１に下方から上方へ力が加えられた場合における各部に働く力を示す。クランプ構造２１に対して図示するような力が加えられる場合とは、例えば、クランプ構造２１がベッドの基台の取り付けバーなどに取り付けられた後、クランプ構造２１をその取り付けバーから取り外すために、引っ張り上げているような状態である。
【００３２】
かかる荷重がかけられた場合、環状部２１１は、可撓性を有するので、縦に扁平になるように撓み、外形は縦に扁平な楕円に近い形に変形する。そうすると、環状部２１１と取付部２１２とが剛性を持って接続された剛性接続部２５Ｌと２５Ｒには、それぞれ、時計回りのモーメントが、剛性接続部２５Ｒには反時計回りのモーメントが働く。このモーメントは、一対の取付部２１２が被取付部材Ｂ１の側面を両側から離れるように働き、一対の取付部２１２が被取付部材Ｂ１を挟む力を弱めることとなり、クランプ構造２１を被取付部材Ｂ１から取り外し易くなる。さらに、環状部２１１を強く引っ張り上げると、両取付部２１２の下端の屈曲部の間にある隙間の幅が被取付部材Ｂ１の幅よりも大きくなり、被取付部材Ｂ１からクランプ構造２１を取り外すことができる。
【００３３】
以上説明したように、本実施例に係るクランプ構造２１は、可撓性を有するほぼ円筒形の環状部２１１と、環状部２１１の母線に沿って剛性を持って接続され、被取付部材Ｂ１を挟持する一対の取付部２１２と、を備え、環状部２１１の外側から力が与えられる第一母線Ｇ１とほぼ円筒形の環状部２１１の中心軸線Ｃとを含む平面Ｐ１と、一の取付部２１２の環状部２１１と接続される第二母線Ｇ２とほぼ円筒形の環状部２１１の中心軸線Ｃとを含む平面Ｐ２とがなす角度Ａ１は、９０度を超えかつ１８０度未満であり、環状部２１１の外側から力が与えられる第一母線Ｇ１とほぼ円筒形の環状部２１１の中心軸線Ｃとを含む平面Ｐ１と、他の取付部２１２の環状部２１１と接続される第三母線Ｇ３とほぼ円筒形の環状部２１１の中心軸線Ｃとを含む平面Ｐ３とがなす角度Ａ２は、９０度を超えかつ１８０度未満である。
【００３４】
これによれば、取付部２１２が接続された環状部２１１は可撓性を有するので被取付部材Ｂ１に取り付ける際にも取り付けが容易であり、ボルトやスナップを使用していないので取り付け後長期間使用しても緩みが発生しない。また、取付部２１２が環状部２１１に剛性を持って接続されているので上部を上方へ引っ張られると被取付部材Ｂ１から外れ易いが、上部に上方から荷重がかかった時には被取付部材Ｂ１に対して強固な取り付け状態を実現するクランプ構造２１を提供することができる。
【００３５】
＜第二実施例＞
図３は、本実施例におけるダンパー支持部材２０Ａの正面図等を示す。なお、重複記載を避けるため、第一実施例と同じ記載は省略する。ダンパー支持部材２０Ａは、クランプ構造２１Ａとマットレスを支持する支持部２２Ａとを備え、一対の取付部２１２Ａがマットレスを載置するベッドの基台の部分である被取付部材を挟持することにより基台に取り付けられ、マットレスを複数で支持する。
【００３６】
支持部２２Ａは、大きな荷重に耐えられるように自身も剛性と強度を有するものであるだけでなく、環状部２１１Ａの第一母線Ｇ１に大きな荷重に耐えられるように接続される。この接続は、特に限定されず、環状部２１１Ａと支持部２２Ａとを一体成形したものであってもよいし、別々の部材としたものを融着したものであってもよい。なお、支持部２２Ａは、実際には、第一母線Ｇ１を中心としたある程度の幅を持って、環状部２１１Ａに接続される。
【００３７】
ダンパー支持部材２０Ａがベッドの基台の取り付けバーなどに取り付けられ、その上に人が横たわった場合は、支持部２２Ａは、接続された部分でありある程度幅を有する第一母線を通して、マットレスからの荷重を環状部２１１Ａに伝える。この場合、図２（Ｂ）で説明したように、一対の取付部２１２Ａは被取付部材に対して強固な取り付け状態を実現できる。
【００３８】
一方、ベッドの基台の取り付けバーなどに取り付けられたダンパー支持部材２０Ａを、人が支持部２２Ａを掴んで取り外そうとした場合、図２（Ｃ）で説明したように、一対の取付部２１２Ａが被取付部材を挟む力を弱めることとなり、クランプ構造２１Ａを被取付部材から取り外し易くなる。従来技術のようにボルトなどで取り付けられていると、支持部２２Ａと環状部２１１Ａとは強固に接続されているものの、ボルトの強度よりは弱いので、環状部２１１Ａと支持部２２Ａの接続が破損してしまう恐れがあるが、ダンパー支持部材２０Ａでは、これを防止できる。
【００３９】
クランプ構造２１Ａは、第二母線Ｇ２と第三母線Ｇ３との間に存在する環状部２１１Ａは、曲率を有さない平面である設置面２１３Ａを有する。これによれば、第一実施例のクランプ構造２１は被取付部材の上面に線で当接していたが、本実施例のクランプ構造２１Ａは被取付部材の上面に面で当接することができるので安定した取り付けが可能となる。
【００４０】
また、環状部２１１Ａは、一対の取付部２１２Ａと接続された第二母線Ｇ２と第三母線Ｇ３との間に存在する環状部（設置面２１３Ａ）に、環状部２１１Ａの一の端部２１１１Ａから他の端部２１１１Ａへ横断する溝部２３Ａを備える。これによれば、溝部２３Ａを備えることにより、環状部２１１Ａのその部分がより大きな可撓性を有することとなるので、被取付部材に取り付ける際にも取り付けがより容易となり、支持部２２Ａを引っ張られると被取付部材からより外れ易くなる。
【００４１】
取付部２１２Ａは、環状部２１１Ａに撓みがない状態において、正面視で互いに取付部２１２Ａの互いの距離が、正面視で下方ほど狭くなっている。設置面２１３Ａの幅と同じ幅を有する矩形の取り付けバーに取り付ける場合、取付部２１２Ａは、より強く確実に取り付けバーを挟持することができる。
【００４２】
また、ダンパー支持部材２０Ａは、環状部２１１Ａの端部２１１１Ａに、環状部２１１Ａの内部に保持するダンパーが脱落することを防止するダンパー止め片２４Ａをさらに備える。これによれば、環状部２１１Ａが保持するダンパーの脱落を防止することができる。
【００４３】
クランプ構造２１Ａを含むダンパー支持部材２０Ａは、第一実施例のクランプ構造２１と同様、一対の取付部２１２Ａがマットレスを載置するベッドの基台の部分である被取付部材を挟持することにより基台に取り付けられる他、ソファの座部や背部のマットレスやクッションを載置する基台の部分である被取付部材を挟持することにより基台に取り付けられてもよい。また、ダンパー支持部材２０Ａは、マットレス等を複数で支持する。ダンパー支持部材２０Ａは、特に大きさが限定されることはないが、マットレス等を複数で支えることにより点で支えることができ、優れたダブルクッション性が得られる。
【００４４】
以上説明したように、本実施例に係るダンパー支持部材２０Ａは、クランプ構造２１Ａを有し、第一母線Ｇ１に接続される、マットレスを支持する支持部２２Ａをさらに備え、一対の取付部２１２Ａがマットレスを載置する基台の部分である被取付部材を挟持することにより基台に取り付けられ、マットレスを複数で支持する。
【００４５】
これによれば、取付部２１２Ａが接続された環状部２１１Ａは可撓性を有し、さらに溝部２３Ａを有するので被取付部材に取り付ける際にも取り付けが容易であり、ボルトやスナップを使用していないので取り付け後長期間使用しても緩みが発生しない。また、取付部２１２Ａが環状部２１１Ａに剛性を持って接続され、さらに溝部２３Ａを有するので上部に接続された支持部２２Ａを引っ張られると被取付部材から外れ易いが、支持部２２Ａに荷重がかかった時には被取付部材に対して強固な取り付け状態を実現するダンパー支持部材２０Ａを提供することができる。
【００４６】
＜第三実施例＞
図４は、本実施例におけるダンパーユニット２Ｂの斜視図である。なお、重複記載を避けるため、第一実施例および第二実施例と同じ記載は省略する。ダンパーユニット２Ｂは、ダンパー支持部材２０Ｂと、ダンパー支持部材２０Ｂの環状部２１１Ｂが内部に保持し、ほぼ円筒形の弾性を有する樹脂発泡体からなるダンパー１０Ｂと、を備える。
【００４７】
ダンパー支持部材２０Ｂは、本実施例では、第二実施例のダンパー支持部材２０Ａに加え、支持部２２Ｂの上に、上部に曲面を有する支持板２２１Ｂを備えて、より小さい面積でマットレス等を支える。
【００４８】
ダンパー１０Ｂは、弾性を有する樹脂発泡体からなる。この樹脂発泡体は、樹脂発泡体の気泡が連通された構造を有する連続気泡構造を有することが好ましい。この樹脂発泡体は、例えば、ウレタンフォーム、ポリエチレン、ポリプロピレン等のポリオレフィンフォーム、ポリ塩化ビニルフォーム、ポリスチレンフォーム、メラミン樹脂、尿素樹脂等のアミノ系樹脂フォーム、フェノール樹脂フォーム等であり、特に限定されず、また、常法によって製造される。
【００４９】
樹脂発泡体は、長期にわたり荷重がかかるため圧縮永久歪が小さく、様々な振動を低減するため幅広い硬度域を有し高いダンピング効果を有することが好ましい。例えば、本実施例では、イノアック社製の製品名「セルダンパー」を用いており、その一般物性においては、密度は１５５〜６９０Ｋｇ／ｍ3、２５％圧縮強さは０．０４〜１．０６ＭＰａ、引張強度は０．６４〜２．６７ＭＰａ、伸びは１５０〜１７７％、引裂強度は２．０２〜８．６０Ｎ／ｍｍ、圧縮永久歪みは４．１〜８．３％である。
【００５０】
ダンパー１０Ｂの形状（外形）は、環状部２１１Ｂの内径とほぼ等しい外径と、環状部２１１Ｂの幅（円筒形の高さに相当）とほぼ等しい厚み（円筒形の高さに相当）とを有するほぼ円筒形（円柱形）である。
【００５１】
ダンパー１０Ｂは、円筒形の対向する２つの底面を貫通する７つの孔１４を備える。孔１４の数は特に限定されず、孔１４の数により容易にダンパー１０Ｂの弾性を制御できる。かかるダンパー１０Ｂは、いかなる方向から荷重や衝撃を受けても均一な弾性を示すことにより、優れた体圧分散と適正な身体のサポートが得られるダンパーを提供することができる。
【００５２】
環状部２１１Ｂは、ダンパー１０Ｂのほぼ円筒形の側面に当接して保持し、環状部２１１Ｂの外側から力を与えられた時の環状部２１１Ｂの弾性率は、ダンパー１０Ｂの弾性率に比し、小さい。これにより、ダンパーユニット２Ｂは、ダンパー１０Ｂが有する優れた弾性を損なうことなく、いかなる方向から荷重や衝撃を受けても均一な弾性を示すことにより、優れた体圧分散と適正な身体のサポートが得られるダンパーユニット２Ｂを提供することができる。また、環状部２１１Ｂの材質は、かかる弾性率を有すれば何であってもよく、プラスチック、金属など、特に限定されない。
【００５３】
以上説明したように、本実施例に係るダンパーユニット２Ｂは、上記のダンパー支持部材２０Ｂと、ダンパー支持部材２０Ｂの環状部２１１Ｂが内部に保持し、ほぼ円筒形の弾性を有する樹脂発泡体からなるダンパー１０Ｂと、をさらに備え、環状部２１１Ｂは、ダンパー１０Ｂのほぼ円筒形の側面に当接して保持し、環状部２１１Ｂの外側から力を与えられた時の環状部２１１Ｂの弾性率は、ダンパー１０Ｂの弾性率に比し、小さいことを特徴とする。
【００５４】
これによれば、取付部２１２Ｂが接続された環状部２１１Ｂは可撓性を有するので被取付部材に取り付ける際にも取り付けが容易であり、ボルトやスナップを使用していないので取り付け後長期間使用しても緩みが発生しない。また、取付部２１２Ｂが環状部２１１Ｂに剛性を持って接続されているので上部に接続された支持板２２１Ｂを引っ張られると被取付部材から外れ易いが、支持板２２１Ｂに荷重がかかった時には被取付部材に対して強固な取り付け状態を実現するダンパーユニット２Ｂを提供することができる。また、環状部２１１Ｂが保持するダンパー１０Ｂの脱落を防止し、ダンパー１０Ｂの弾性率によりその弾性を調整できるダンパーユニット２Ｂを提供できる。
【００５５】
＜第四実施例＞
図５は、本実施例におけるベッド１Ｂの斜視図である。なお、ベッド１Ｂの基台３Ｂの上に載置されるマットレスは記載を省略しており、基台３Ｂと基台３Ｂに取り付けられたダンパーユニット２Ｂのみを図示する。また、重複記載を避けるため、第一〜第三実施例と同じ記載は省略する。
【００５６】
ベッド１Ｂは、上述したダンパーユニット２Ｂが基台３Ｂの取り付けバーなどに複数取り付けられたベッドである。ダンパーユニット２Ｂは、基台３Ｂに複数取り付けられることで、マットレスが載置されるすのこを構成する。ベッド１Ｂは、ダンパーユニット２Ｂがマットレス等を複数で支えることにより、優れたダブルクッション性が得られる。
【００５７】
これによれば、ダンパーユニット２Ｂの取付部が接続された環状部は可撓性を有するので被取付部材に取り付ける際にも取り付けが容易であり、ボルトやスナップを使用していないので取り付け後長期間使用しても緩みが発生しない。また、ダンパーユニット２Ｂの取付部が環状部に剛性を持って接続されているので上部に接続された支持板を引っ張られると被取付部材から外れ易いが、支持板に荷重がかかった時には被取付部材に対して強固な取り付け状態を実現するダンパーユニット２Ｂを備えたベッド１Ｂを提供することができる。また、ダンパーユニット２Ｂの環状部が保持するダンパーの脱落を防止し、ダンパーの弾性率によりその弾性を調整できるダンパーユニット２Ｂを備えたベッド１Ｂを提供できる。
【００５８】
なお、本発明は、例示した実施例に限定するものではなく、特許請求の範囲の各項に記載された内容から逸脱しない範囲の構成による実施が可能である。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【符号の説明】
【００５９】
１      ベッド
２      ダンパーユニット
３      基台
１０    ダンパー
１４    孔
２０    ダンパー支持部材
２１    クランプ構造
２１１  環状部
２１１１  環状部の端部
２１２  取付部
２１３  設置面
２２    支持部
２２１  支持板
２３    溝部
２４    ダンパー止め片
２５    剛性接続部
Ｂ１    被取付部材
Ｃ      中心軸
Ｇ１、Ｇ２、Ｇ３    第一母線、第二母線、第三母線
Ｐ１、Ｐ２、Ｐ３    第一平面、第二平面、第三平面
Ａ１、Ａ２    第一平面と第二平面とがなす角度、第一平面と第三平面とがなす角度
【図１】
2014050567.tif 000003
【図２】
2014050567.tif 000004
【図３】
2014050567.tif 000005
【図４】
2014050567.tif 000006
【図５】
2014050567.tif 000007
【図６】
2014050567.tif 000008